(57)【要約】【課題】カメラの撮影時にピントの合っている範囲をユーザーに示す際に、撮影とプレビューと距離検出に用いる撮影カメラと、距離検出用の補助カメラの２つを用いることで、従来技術の構成に対して小型で軽量な撮像装置をユーザーに提供することを目的とする。【解決手段】課題を解決するため、２つの撮像手段で撮影される画像から被写体までの距離をステレオマッチングにより算出する手段と、算出した被写体までの距離に応じて撮影画像にぼかし処理およびフォーカス位置とフォーカスの合う範囲を色の濃淡で表現するピント範囲画像を生成する手段と、２つの撮像手段で撮影される画像を合成してプレビュー表示する手段と、を備えた携帯型撮像装置とすることで、小型化と軽量化を実現することが出来る。【選択図】図１
2014006407.tif 000002
【特許請求の範囲】
【請求項１】
第１の撮像手段と、
第２の撮像手段と
前記２つの撮像手段で撮影される画像から被写体までの距離をステレオマッチングにより算出する手段と、
算出した被写体までの距離に応じて撮影画像にぼかし処理、およびフォーカス位置とフォーカスの合う範囲を色の濃淡で表現するピント範囲画像を生成する手段と、
前記２つの撮像手段で撮影される画像を合成してプレビュー表示する手段と、
を備えた携帯型撮像装置。
【請求項２】
２つの撮像手段で撮影される画像から被写体までの距離をステレオマッチングにより算出するステップと、
算出した被写体までの距離に応じて撮影画像にぼかし処理、およびフォーカス位置とフォーカスの合う範囲を色の濃淡で表現するピント範囲画像を生成するステップと、
前記２つの撮像手段で撮影される画像を合成してプレビュー表示するステップと、
を備えた撮像方法。
【発明の詳細な説明】
【技術分野】
【０００１】
デジタルスチルカメラや携帯端末装置における撮像装置に係り、特にフォーカス機能におけるピント位置の表示方法に関する。
【背景技術】
【０００２】
従来技術として、例えば、特許文献１に記載されているようなものがあった。図５は前記特許文献に記載されたカメラの外観を示す斜視図、図６はカメラの単体を模式的に示すブロック図である。図５および図６に示すように、カメラは被写体を撮像する撮像カメラ１０と第１の補助カメラ１１と、第２の補助カメラ１２の計三つのカメラで構成される。２つの補助カメラを用いて被写体までの距離を測定し、その結果からピントの合っている範囲を示すマスク画像を生成し、プレビュー画像と合成して表示する。
【先行技術文献】
【特許文献】
【０００３】
【特許文献１】公報  特開２００６−７４６３４
【発明の概要】
【発明が解決しようとする課題】
【０００４】
上記従来の技術では、カメラの撮影時にピントの合っている範囲を算出するためステレオマッチングにより被写体までの距離を検出する際に、全ての被写体にピントを合わせるため、距離検出用の第１の補助カメラと第２の補助カメラの２つ搭載し、撮影とプレビューに用いるカメラと合わせて３つのカメラで構成されている。
【０００５】
従って、小型で軽量な撮像装置を実現することが困難であった。
本発明の目的は、従来技術の構成に対して小型で軽量な撮像装置をユーザーに提供することである。
【課題を解決するための手段】
【０００６】
課題を解決するため、第１の撮像手段と第２の撮像手段と２つの撮像手段で撮影される画像から被写体までの距離をステレオマッチングにより算出する手段と、算出した被写体までの距離に応じて撮影画像にぼかし処理およびフォーカス位置とフォーカスの合う範囲を色の濃淡で表現するピント範囲画像を生成する手段と、２つの撮像手段で撮影される画像を合成してプレビュー表示する手段と、を備えた携帯型撮像装置とした。
【０００７】
上記構成により、本発明のカメラでは第２の補助カメラを不要とし、撮影カメラと補助カメラの計二つのカメラで構成することで小型化と軽量化を実現することが出来る。
【発明の効果】
【０００８】
本発明によれば、カメラの撮影時にピントの合っている範囲を表示する際に、撮影カメラと補助カメラの２つのカメラで被写体までの距離をステレオマッチングにより算出し、算出した被写体までの距離に応じて撮影画像にぼかし処理およびフォーカス位置とフォーカスの合う範囲を色の濃淡で表現するピント範囲画像を生成することで、小型化と軽量化を実現することが可能となる。
【図面の簡単な説明】
【０００９】
【図１】本発明のカメラの概観図
【図２】本発明のカメラのブロック図
【図３】本発明のカメラのプレビューの模式図
【図４】本発明のカメラの処理フローチャート
【図５】従来技術のカメラの概観図
【図６】従来技術のカメラのブロック図
【発明を実施するための形態】
【００１０】
以下に、本発明の実施の形態について、図面を参照しながら説明する。
【００１１】
まず、本発明の実施の形態におけるカメラの外観について、図１を使って説明する。図１はカメラの概観図である。カメラ１は撮影カメラ３と補助カメラ２と表示装置４を搭載する。カメラの撮影時、被写体方向に撮影カメラ３と補助カメラ２のレンズ面を向け、使用者自身は表示装置４に表示されるプレビュー画像を確認してピントが合っている範囲を確認し、撮影する。
【００１２】
次に、本発明の実施の形態におけるカメラの構成について、図２を使って説明する。図２は本発明のカメラのブロック図である。カメラは、撮影カメラ３と、補助カメラ２と、奥行き距離検出回路５と、ピント範囲画像生成回路６と、ぼかし画像生成回路７と、画像合成回路８と、表示装置４と、撮影画像保存メモリ９から構成される。
【００１３】
次に、カメラの各部について具体的に説明する。
【００１４】
撮影カメラ３は、撮影とプレビューと距離検出に用いるデジタルカメラ装置である。
【００１５】
補助カメラ２は、距離検出に用いるデジタルカメラ装置である。
【００１６】
奥行き距離検出回路５は、ステレオマッチングにより被写体までの奥行き距離検出する回路である。ステレオマッチングについては、特許文献１に記載されている他、一般的な技術である。
【００１７】
ピント範囲画像生成回路６は、検出した被写体までの距離を基にピント範囲画像を生成する回路である。ピント範囲画像はピントの合っている範囲を色の濃淡で表現する画像データである。ピント範囲画像の生成については、特許文献１に記載されている。
【００１８】
ぼかし画像生成回路７は、被写体までの距離とレンズパラメータ（絞り値）を基に撮影画像（ぼかし）を生成する回路である。ピクセル毎に、被写体の距離とピントが合っている距離との差を算出し、差が大きいほど画像のぼかし量を大きくする。
【００１９】
画像合成回路８は、ピント範囲画像と撮影画像（ぼかし）を合成する回路である。後述する図３に示す様に撮影画像（ぼかし）の上にピント範囲画像を合成する。
【００２０】
表示装置４は、画像合成回路８で合成された撮影画像（プレビュー）を使用者に表示するための装置である。
【００２１】
撮影画像保存メモリ９は、撮影した画像を保存するフラッシュメモリやハードディスクドライブなどの記録装置である。
【００２２】
次に、本発明の実施の形態におけるカメラのプレビュー表示の例について図３を使って説明する。撮影画像（ぼかし）は、撮影カメラ３で撮影された画像にぼかし画像生成回路でぼかし処理を施した画像で、ピントの合っている範囲が示されない本来のプレビュー画像である。ピント範囲画像は、奥行き距離検出回路の結果を基に、ピント範囲画像生成回路で生成されるピントが合っている範囲を色の濃淡で示す画像である。図３の例では、鼠色部分はピントが合っていない領域、画面中央の黒色部分は最もピントが合っている領域、その左右の青色の濃淡で示す部分はピントが合っている領域で、色が薄いほどピントが合っている事を示している。図３では黒色、鼠色、青色を用いたが他の色を用いても良い。プレビュー表示を、撮影画像（ぼかし）の上にピント範囲画像を合成した撮影画像（プレビュー）とすることで、使用者にピントの合っている範囲を分かりやすく示すことが可能である。
【００２３】
次に、本発明の実施の形態におけるカメラの動作について図４を使って説明する。図４は本発明のカメラの処理フローチャートである。
【００２４】
撮影開始時に、撮影カメラ３と補助カメラ２は画像がぼけない程度に絞り値を大きくする（ステップＳ１００）。
【００２５】
次に、撮影カメラ３と補助カメラ２から出力される撮影画像（ライブ）を基に、奥行き距離検出回路５で被写体までの処理を検出する（ステップＳ１０１）。
【００２６】
検出した被写体までの距離を基にピント範囲画像生成回路６でピント範囲画像を生成する（ステップＳ１０２）。
【００２７】
これと並行して被写体までの距離とレンズパラメータ（絞り値）を基にぼかし画像生成回路７で撮影画像（ぼかし）を生成する（ステップＳ１０３）。
【００２８】
上記で生成したピント範囲画像と撮影画像（ぼかし）を画像合成回路８にて合成し、撮影画像（プレビュー）を生成する（ステップＳ１０４）。
【００２９】
生成した撮影画像を表示装置４に表示する（ステップ１０５）。
【００３０】
ここでプレビューを継続するかどうか判断し、継続する場合にはステップ１０１から処理を繰り返す。継続しない場合は理由が撮影であるか判断する（ステップＳ１０７）。
【００３１】
撮影する場合、撮影カメラ３を所望の絞り値に設定し（ステップ１０８）、撮影画像（撮影）を撮影画像保存メモリ９に保存する（ステップ１０９）。このとき、ステップＳ１０８を実行せずに、ステップＳ１０４で生成した撮影画像（プレビュー）を撮影画像（撮影）として撮影画像保存メモリ９に保存しても良い。
【産業上の利用可能性】
【００３２】
カメラの撮影時にピントの合っている範囲をユーザーに分かりやすく示すための方法として、撮影カメラと補助カメラの計二つのカメラで構成することで小型化と軽量化を実現することが可能となるため、デジタルカメラや携帯端末など、カメラ機能を有する電子機器に有用である。
【符号の説明】
【００３３】
１    カメラ
２    補助カメラ
３    撮影カメラ
４    表示装置
５    奥行き距離検出回路
６    ピント範囲画像生成回路
７    ぼかし画像生成回路
８    画像合成回路
９    撮影画像保存メモリ
１０    撮像カメラ
１１    第１の補助カメラ
１２    第２の補助カメラ
【図１】
2014006407.tif 000003
【図２】
2014006407.tif 000004
【図３】
2014006407.tif 000005
【図４】
2014006407.tif 000006
【図５】
2014006407.tif 000007
【図６】
2014006407.tif 000008